(57)【要約】【課題】録画進行中のタイトルに関し、その録画の終了を待たずにプレイリスト編集を行うことができる映像情報処理装置及び方法を提供する。【解決手段】入力された映像及び音声情報を映像及び音声の実情報を含む第１のタイトルとして記録媒体に記録する記録部と、第１のタイトルの録画の進行中に、既に記録されている部分の第１のタイトルの映像及び音声の実情報への参照情報を含む第２のタイトルを生成し、この第２のタイトルに編集を施す編集部とを有する映像情報処理装置。【選択図】    図１
2004328518.tif 000002
【特許請求の範囲】
【請求項１】
入力された映像及び音声情報を、前記映像及び音声の実情報を含む第１のタイトルとして記録媒体に記録する記録手段と、
前記第１のタイトルの録画の進行中に、既に記録されている部分の前記第１のタイトルの映像及び音声の実情報への参照情報を含む第２のタイトルを生成し、この第２のタイトルに編集を施す編集手段と、
を具備することを特徴とする映像情報処理装置。
【請求項２】
前記第１のタイトルの録画の進行中に前記第２のタイトルに編集を施す際に、前記第１のタイトルの録画の進捗状態を反映させて前記第２のタイトルを更新する更新手段を更に有することを特徴とする請求項１記載の映像情報処理装置。
【請求項３】
前記編集手段は、生成する前記第２のタイトルを１つに制限することを特徴とする請求項１乃至２記載の映像情報処理装置。
【請求項４】
前記第１のタイトルの既に記録されている映像及び音声の実情報に対する参照情報を含む第２のタイトルを２つ以上作成可能とし、更に特定の前記第２のタイトルと前記第１のタイトルとを対応付ける管理情報を生成する手段を更に有することを特徴とする請求項１乃至２記載の映像情報処理装置。
【請求項５】
前記更新手段は、前記第２のタイトルに含まれる前記第１のタイトルへの前記参照情報の末尾を含む特定領域に記載されている情報に関し、前記第１のタイトルの録画の進捗状態を反映させてこれを更新し、更に、前記編集手段は、前記参照情報の末尾を含む特定領域について編集を行わないことを特徴とする請求項２記載の映像情報処理装置。
【請求項６】
前記更新手段は、前記第１のタイトルの録画の進行中に前記第２のタイトルに対し編集を施す際に、前記第２のタイトルに既に反映されている前記第１のタイトルの録画の進捗ポイントを第１の進捗ポイントとして保持し、改めて前記第１のタイトルの録画の進捗状態を前記第２のタイトルに反映させる時点における前記第１のタイトルの録画の進捗ポイントを第２の進捗ポイントとして保持して、前記第１の進捗ポイントから前記第２の進捗ポイントまでの範囲に相当する前記第１のタイトルの既に記録されている映像及び音声の実情報に対する参照情報を新規に生成し、前記新規に生成された参照情報を前記第２のタイトルに挿入することにより前記第１のタイトルの録画の進捗状態を前記第２のタイトルに反映させて更新することを特徴とする請求項２記載の映像情報処理装置。
【請求項７】
前記新規に生成した前記第１の進捗ポイントから前記第２の進捗ポイントまでの範囲に相当する前記第１のタイトルの既に記録されている映像及び音声の実情報に対する参照情報を、前記第２のタイトルの所定の位置に挿入する手段を更に有することを特徴とする請求項６記載の映像情報処理装置。
【請求項８】
前記第２タイトルにおける所定位置の位置情報を格納する格納手段と、前記格納手段が格納している位置情報を読み出しこの位置情報が示す前記第２タイトルの所定位置へ、前記新規に生成した前記第１の進捗ポイントから前記第２の進捗ポイントまでの範囲に相当する前記第１のタイトルの既に記録されている映像及び音声の実情報に対する参照情報を挿入する手段を更に有することを特徴とする請求項６記載の映像情報処理装置。
【請求項９】
入力された映像及び音声情報を、前記映像及び音声の実情報を含む第１のタイトルとして記録媒体に記録し、
前記第１のタイトルの録画の進行中に、既に記録されている部分の前記第１のタイトルの映像及び音声の実情報への参照情報を含む第２のタイトルを生成し、この第２のタイトルに編集を施すことを特徴とする映像情報処理方法。
【請求項１０】
前記第１のタイトルの録画の進行中に前記第２のタイトルに編集を施す際に、前記第１のタイトルの録画の進捗状態を反映させて前記第２のタイトルを更新することを特徴とする請求項９記載の映像情報処理方法。
【請求項１１】
前記編集において、生成する前記第２のタイトルを１つに制限することを特徴とする請求項９乃至１０記載の映像情報処理方法。
【請求項１２】
前記第１のタイトルの既に記録されている映像及び音声の実情報に対する参照情報を含む第２のタイトルを２つ以上作成可能とし、更に特定の前記第２のタイトルと前記第１のタイトルとを対応付ける管理情報を生成することを特徴とする請求項９乃至１０記載の映像情報処理方法。
【請求項１３】
前記更新において、前記第２のタイトルに含まれる前記第１のタイトルへの前記参照情報の末尾を含む特定領域に記載されている情報に関し、前記第１のタイトルの録画の進捗状態を反映させてこれを更新し、更に、前記編集において前記参照情報の末尾を含む特定領域に対して編集を施さないことを特徴とする請求項１０記載の映像情報処理方法。
【請求項１４】
前記更新において、前記第１のタイトルの録画の進行中に前記第２のタイトルに対し編集を施す際に、前記第２のタイトルに既に反映されている前記第１のタイトルの録画の進捗ポイントを第１の進捗ポイントとして保持し、改めて前記第１のタイトルの録画の進捗状態を前記第２のタイトルに反映させる時点における前記第１のタイトルの録画の進捗ポイントを第２の進捗ポイントとして保持して、前記第１の進捗ポイントから前記第２の進捗ポイントまでの範囲に相当する前記第１のタイトルの既に記録されている映像及び音声の実情報に対する参照情報を新規に生成し、前記新規に生成された参照情報を前記第２のタイトルに挿入することにより前記第１のタイトルの録画の進捗状態を前記第２のタイトルに反映させて更新することを特徴とする請求項１０記載の映像情報処理方法。
【請求項１５】
前記新規に生成した前記第１の進捗ポイントから前記第２の進捗ポイントまでの範囲に相当する前記第１のタイトルの既に記録されている映像及び音声の実情報に対する参照情報を、前記第２のタイトルの所定の位置に挿入することを特徴とする請求項１４記載の映像情報処理方法。
【請求項１６】
前記第２タイトルにおける所定位置の位置情報を格納しこの格納している位置情報を読み出し、この位置情報が示す前記第２タイトルの所定位置へ、前記新規に生成した前記第１の進捗ポイントから前記第２の進捗ポイントまでの範囲に相当する前記第１のタイトルの既に記録されている映像及び音声の実情報に対する参照情報を挿入することを特徴とする請求項１４記載の映像情報処理方法。
【発明の詳細な説明】
【０００１】
【発明の属する技術分野】
この発明は、動画編集を行う映像情報処理装置に関し、特に、録画を行っている最中に編集のためのタイトルを生成し録画処理と並行して編集処理を行うことができる映像情報処理装置及び映像情報処理方法に関する。
【０００２】
【従来の技術】
近年、記録可能なＤＶＤを使用したＤＶＤビデオレコーダーが実用化されている。又、ＨＤＤを使用したＨＤＤビデオレコーダーも開発されている。更には、着脱可能なリムーバブルメディアであるＤＶＤと、大容量のＨＤＤの双方を併せ持ったハイブリッドレコーダーも登場している。
【０００３】
従来の磁気テープを使用したビデオテープレコーダーでは、録画したコンテンツの編集作業、例えば、不要なシーンの削除や必要なシーンの抽出といった操作を行うには、複数台のビデオテープレコーダーや編集のための装置などが必要である。これは、テープの走行方向に一直線に記録するという、テープメディアの特性に起因する。
【０００４】
一方、ＤＶＤやＨＤＤなどのディスクメディアは、ランダムアクセス性に優れているという特長を持っている。そのため、これらディスクメディアを使用したビデオレコーダーでは、特殊な編集装置を使用することなく、録画したコンテンツの編集機能をビデオレコーダー本体に内蔵することが可能である。具体的には、録画したコンテンツの中の一部分を指し示す部分参照情報を束ねた、プレイリスト編集と呼ばれるものが一般的である。
【０００５】
録画されたコンテンツは、オーディオ情報やビデオ情報そのものを持つタイトルとして記録される。これをオリジナルタイトルと呼ぶ。一方、固有のオーディオ・ビデオ情報は持たず、他のオリジナルタイトルのオーディオ・ビデオ情報に対する再生順序情報のみで構成されているタイトルが存在する。これがプレイリストタイトル（又は単にプレイリスト）と呼ばれる、編集操作により作成されるタイトルである。
【０００６】
このプレイリスト編集は、ＤＶＤやＨＤＤなどのディスクメディアに既に録画されているコンテンツに対する再生順序情報を構築するものであるため、基本的に、録画が終了した後で行うことを前提としている。そのため、現在録画が進行中のオリジナルタイトルを参照するようなプレイリストを作成するには、該オリジナルタイトルの録画が終了するまで待たねばならない。
【０００７】
しかしながら、例えばテレビ番組をエアチェック録画するような場合、録画が終了するまでに比較的長い時間を要するため、その間、録画中のタイトルに関し、まったく編集操作ができないというのは不便であるという問題がある。
【０００８】
すなわち、録画したタイトルに対してユーザが施す処理として、例えばＣＭのような不要なシーンをカットし、必要な本編映像のみ残すというような処理が挙げられる。この場合、録画が進行中であっても、既に録画されている部分に対し、随時手の空いたときに不要なシーンをカットするなどの処理が実現できればユーザの使い勝手が向上するが、現在のところ、このような処理は録画の終了を待って行わなくてはならない。
【０００９】
このようなプレイリストを用いる従来技術として、録画進行中に編集後の状態を確認するための仮プレイリストの概念が示されている映像編集システムが知られている（例えば、特許文献１参照）。このような映像編集システムにおいては、ＤＶＤレコーダーとは異なるが、ここで述べられている仮プレイリストの概念を流用することにより、録画進行中のタイトルのプレイリスト編集が実現できるように思える。
【００１０】
【特許文献１】
特開平１１−１４６３３４号公報。
【００１１】
【発明が解決しようとする課題】
しかしながら、この従来技術においては、ＶＴＲからＨＤＤへの録画を前提としたものであり、事前に録画が完了したＶＴＲ上での編集操作により必要な範囲を設定してからＨＤＤへ録画を行い、併せて、その範囲情報を使用したプレイリストを作成するものである。つまり、ＶＴＲ等のソース情報のレベルで必要なもののみを選択してからＨＤＤに録画する必要がある。従って、従来技術では、エアチェック録画のように、必要なシーンと不要なシーンとが混在した状態の放送を録画しながら、録画進行中のそのような映像情報に対してユーザが、逐一、録画の必要と不要とを判断して、必要な部分を残すといった編集操作を行うことができないという問題がある。
【００１２】
本発明はこのような問題を解決するためになされたものであり、録画進行中のタイトルに関し、その録画の終了を待たずにプレイリスト編集を行うことができる映像情報処理装置及び映像情報処理方法を提供することを目的とする。
【００１３】
【課題を解決するための手段】
本発明は、入力された映像及び音声情報を、前記映像及び音声の実情報を含む第１のタイトルとして記録媒体に記録する記録手段と、前記第１のタイトルの録画の進行中に、既に記録されている部分の前記第１のタイトルの映像及び音声の実情報への参照情報を含む第２のタイトルを生成し、この第２のタイトルに編集を施す編集手段とを具備することを特徴とする映像情報処理装置である。
【００１４】
本発明に係る映像情報処理装置においては、録画処理が完了する前に録画処理と並行して編集用のタイトルであるプレイリストを生成し、録画の途中で、この編集用のタイトルに対してプレイリスト編集を行うものである。録画が進行すると、例えば、一定時間毎に、又は、編集用の操作画面を開く毎に、編集用のタイトルも、録画が進行したところまでのタイトルの進捗状態に対応させて、更新するものである。
【００１５】
これにより、録画が全て終了する前であっても、例えば、放送されている番組のＣＭ等を削除する等の編集処理が、録画を終えた範囲において録画処理と並行してユーザの操作により行うことができる。従って、本発明によれば、録画の終了を待つことのない、非常に効率的な編集処理を行うことができる映像情報処理装置を提供することができる。
【００１６】
【発明の実施の形態】
以下、図面を参照しながら本発明の実施形態について詳細に説明する。
【００１７】
＜本発明に係る映像情報処理装置の概要＞
図１は、本発明の一実施形態に係る映像情報処理装置の概略構成を示すブロック図である。この実施形態では、記録媒体としてＤＶＤ−ＲＡＭとハードディスクの双方を取り扱うことができる装置として示しているが、ハードディスク又はＤＶＤ−ＲＡＭは例えば半導体メモリによる記録媒体などに置換されてもよい。
【００１８】
図１の各ブロックを大きく分けると、左側には記録部の主なブロックを示し，右側には再生部の主なブロックを示している。
【００１９】
図１の映像情報処理装置は、２種類のディスクドライブ部を有する。まず、ビデオファイルを構築できる情報記録媒体である第１のメディアとしての光ディスクＤを回転駆動し、情報の読み書きを実行するディスクドライブ部２３を有する。又、第２のメディアとしてのハードディスクを駆動するハードディスクドライブ部２１を有する。データプロセッサ部２２は、ディスクドライブ部２３及びハードディスクドライブ部２１に記録情報を供給することができ、又、再生された信号を受け取ることができる。ディスクドライブ部２３は、光ディスクＤに対する回転制御系、レーザ駆動系、光学系などを有する。
【００２０】
データプロセッサ部２２は、記録又は、再生単位の情報を取り扱うもので、バッファ回路、変調・復調回路、エラー訂正部などを含む。
【００２１】
又、図１の映像情報処理装置は、録画側を構成するエンコーダ部５０と、再生側を構成するデコーダ部６０と、装置本体の動作を制御するマイクロコンピュータブロック３０とを主たる構成要素としている。
【００２２】
エンコーダ部５０は、入力されたアナログビデオ信号やアナログオーディオ信号をデジタル化するビデオ用及びオーディオ用のアナログデジタルコンバータと、ビデオエンコーダと、オーディオエンコーダとを有する。更に、副映像エンコーダも含む。
【００２３】
エンコーダ部５０の出力は、バッファメモリを含むフォーマッタ５１にて所定のＤＶＤ−ＲＡＭのフォーマットに変換され、先のデータプロセッサ部２２に供給される。
【００２４】
エンコーダ部５０には、ＡＶ入力部４１からの外部アナログビデオ信号と外部アナログオーディオ信号、又はＴＶチューナ４２からのアナログビデオ信号とアナログオーディオ信号が入力される。
【００２５】
なお、エンコーダ部５０は、直接圧縮されたデジタルビデオ信号やデジタルオーディオ信号が直接入力されるときは、圧縮デジタルビデオ信号やデジタルオーディオ信号を直接フォーマッタ５１に供給することもできる。又、エンコーダ部５０は、アナログデジタル変換されたデジタルビデオ信号やオーディオ信号を、ビデオミキシング部７１やオーディオセレクタ７６に直接供給することもできる。
【００２６】
エンコーダ部５０に含まれるビデオエンコーダでは、デジタルビデオ信号はＭＰＥＧ２又はＭＰＥＧ１規格に基づいた可変ビットレートで圧縮されたデジタルビデオ信号に変換される。デジタルオーディオ信号は、ＭＰＥＧ又はＡＣ−３規格に基づいて固定ビットレートで圧縮されたデジタルオーディオ信号、又はリニアＰＣＭのデジタルオーディオ信号に変換される。
【００２７】
副映像信号がＡＶ入力部４１から入力された場合（例えば副映像信号の独立出力端子付ＤＶＤビデオプレーヤからの信号など）、又はこのようなデータ構成のＤＶＤビデオ信号が放送されてそれがＴＶチューナ４２で受信された場合は、ＤＶＤビデオ信号中の副映像信号が副映像エンコーダでエンコード（ランレングス符号化）されて副映像のビットマップとなる。
【００２８】
エンコードされたデジタルビデオ信号、デジタルオーディオ信号、副映像情報は、フォーマッタ５１にてパック化され、ビデオパック、オーディオパック、副映像パックとなり、更にこれらが集合されてＤＶＤ−レコーディング規格（例えばＤＶＤ−ＲＡＭ、ＤＶＤ−Ｒ、ＤＶＤ−ＲＷなどに記録する規格）で規定されたフォーマットに変換される。
【００２９】
ここで図１の装置は、フォーマッタ５１でフォーマット化された情報（ビデオ、オーディオ、副映像情報などのパック）及び作成された管理情報を、データプロセッサ部２２を介してハードディスクドライブ部２１又はデータディスクドライブ部２３に供給し、ハードディスク又は光ディスクＤに記録することができる。又、ハードディスク又は光ディスクＤに記録された情報を、データプロセッサ部２２、ディスクドライブ部２３を介して光ディスクＤ又はハードディスクに記録することもできる。
【００３０】
又、ハードディスク又は光ディスクＤに記録されている複数番組のビデオオブジェクトを、一部削除したり、異なる番組のオブジェクトをつなげたり、といった編集処理を行うこともできる。これは、本発明にかかるフォーマットが取り扱う情報単位を定義し、編集を容易にしているからである。
【００３１】
マイクロコンピュータブロック３０は、ＭＰＵ（マイクロプロセッシングユニット）、又は、ＣＰＵ（セントラルプロセッシングユニット）と、制御プログラム等が書きこまれたＲＯＭと、プログラム実行に必要なワークエリアを提供するためのＲＡＭとを含んでいる。
【００３２】
マイクロコンピュータブロック３０のＭＰＵは、そのＲＯＭに格納された制御プログラムに従い、ＲＡＭをワークエリアとして用いて、欠陥場所検出、未記録領域検出、録画情報記録位置設定、ＵＤＦ記録、ＡＶアドレス設定などを実行する。
【００３３】
又、マイクロコンピュータブロック３０は、システム全体を制御するために必要な情報処理部を有するもので、ワークＲＡＭ３１、ディレクトリ検出部３２、ＶＭＧ（全体のビデオ管理情報）情報作成部、コピー関連情報検知部、コピー及びスクランブリング情報処理部（ＲＤＩ処理部）、パケットヘッダ処理部、シーケンスヘッダ処理部、アスペクト比情報処理部などを備える。
【００３４】
又、マイクロコンピュータブロック３０は、録画を実行する際の管理情報の制御部３４と、録画時の編集処理を行うことができる、編集を実行する際の管理情報の制御部３３をも備える。本発明の特徴である種々の特徴は、第１実施形態乃至第８実施形態として後述されるもので、制御プログラムの形で、この編集を実行する際の管理情報の制御部で実行される。
【００３５】
ＭＰＵの実行結果のうち、ユーザに通知すべき内容は、映像情報処理装置の表示部４３に表示されるか、又は、モニターディスプレイにＯＳＤ（オンスクリーンディスプレイ）表示される。又、マイクロコンピュータブロック３０は、この装置を操作するための操作信号を与えるキー入力部４４を有する。
【００３６】
なお、マイクロコンピュータブロック３０が、ディスクドライブ部２３、ハードディスクドライブ部２１、データプロセッサ部２２、エンコーダ部５０及び／又はデコーダ部６０などを制御するタイミングは、ＳＴＣ（システムタイムクロック）３８からの時間情報に基づいて実行することができる。録画や再生の動作は、通常はＳＴＣ３８からのタイムクロックに同期して実行されるが、それ以外の処理はＳＴＣ３８とは独立したタイミングで実行されてもよい。
【００３７】
デコーダ部６０は、パック構造を持つＤＶＤフォーマットの信号から各パックを分離して取り出すセパレータと、パック分離やその他の信号処理実行時に使用するメモリと、セパレータで分離された主映像情報（ビデオパックの内容）をデコードするＶデコーダと、セパレータで分離された副映像情報（副映像パックの内容）をデコードするＳＰデコーダと、セパレータで分離されたオーディオ情報（オーディオパックの内容）をデコードするＡデコーダとを有する。又、デコードされた主映像にデコードされた副映像を適宜合成し、主映像にメニュー、ハイライトボタン、字幕やその他の副映像を重ねて出力するビデオプロセッサを備えている。
【００３８】
デコーダ部６０の出力ビデオ信号は、ビデオミキシング部７１に入力される。ビデオミキシング部７１では、テキスト情報の合成が行われる。又、ビデオミキシング部７１には、ＴＶチューナ４２やＡ／Ｖ入力部４１からの信号を直接取り込むラインもまた接続されている。ビデオミキシング部７１には、バッファとして用いるフレームメモリ７２が接続されている。ビデオミキシング部７１の出力がアナログ出力の場合はＩ／Ｆ（インタフェース）７３を介して外部出力され、デジタル出力の場合はデジタルアナログ変換器７４を介して外部へ出力される。
【００３９】
デコーダ部６０の出力オーディオ信号は、セレクタ７６を介してデジタルアナログ変換器７７でアナログ変換され外部に出力される。セレクタ７６は、マイクロコンピュータブロック３０からのセレクト信号により制御される。これによりセレクタ７６は、ＴＶチューナ４２やＡ／Ｖ入力部４１からのデジタル信号を直接モニタする時、エンコーダ部５０をスルーした信号を直接選択することも可能である。
【００４０】
なお、エンコーダ部５０のフォーマッタでは、録画中、各切り分け情報を作成し、定期的にマイクロコンピュータブロック３０のＭＰＵへ送る（ＧＯＰ先頭割り込み時などの情報）。切り分け情報としては、ＶＯＢＵのパック数、ＶＯＢＵ先頭からのＩピクチャのエンドアドレス、ＶＯＢＵの再生時間などである。
【００４１】
同時に、アスペクト情報処理部からの情報を録画開始時にＭＰＵへ送り、ＭＰＵはＶＯＢストリーム情報（ＳＴＩ）を作成する。ここでＳＴＩは、解像度情報、アスペクト情報などを保存し、再生時、各デコーダ部ではこの情報を元に初期設定が行われる。
【００４２】
又、本装置では、ビデオファイルは１ディスクに１ファイルとしている。又、情報をアクセス（シーク）している間に、途切れないで再生を続けるために、最低限連続する情報単位（サイズ）を決めている。この単位をＣＤＡ（コンティギュアス・データ・エリア）という。ＣＤＡサイズは、ＥＣＣ（エラー訂正コード）ブロック（１６セクタ）の倍数であり、ファイルシステムではこのＣＤＡ単位で記録を行っている。
【００４３】
データプロセッサ部２２は、エンコーダ部５０のフォーマッタからＶＯＢＵ単位の情報を受け取り、ＣＤＡ単位の情報をディスクドライブ部２３又はハードディスクドライブ部２１に供給している。又、マイクロコンピュータブロック３０のＭＰＵは、記録した情報を再生するのに必要な管理情報を作成し、記録終了のコマンドを認識すると、作成した管理情報をデータプロセッサ部２２に送る。これにより、管理情報がディスクに記録される。従って、エンコードが行われているとき、エンコーダ部５０からマイクロコンピュータブロック３０のＭＰＵは、情報単位の情報（切り分け情報など）を受け取る。又、マイクロコンピュータブロック３０のＭＰＵは、記録開始時には光ディスク及びハードディスクから読み取った管理情報（ファイルシステム）を認識し、各ディスクの未記録エリアを認識し、情報上の記録エリアをデータプロセッサ部２２を介してディスクに設定している。
【００４４】
次に、図２を使用して、管理情報と、コンテンツである実映像情報との関係を簡単に説明する。図２は、本発明の一実施形態に係る映像情報処理装置により録画されたコンテンツの管理情報と実映像情報との関係を示す図である。
【００４５】
図２において、まず実映像情報８０について説明する。ここでは実映像情報８０は記録メディア上で１つのファイルにまとめられているとする。１つのファイルは、１つ又は複数の実映像情報ストリーム８１で構成されている。１つ１つの実映像情報ストリーム８１は、例えば、１回の録画処理により記録される単位であったりする。これは、例えば、ＤＶＤレコーディング規格におけるＶＯＢ（ビデオオブジェクト）などに相当する。１つの実映像情報ストリーム８１は、１つ又は複数のストリーム部分領域８２で構成される。これは、例えば、ＤＶＤレコーディング規格におけるＶＯＢＵ（ビデオオブジェクトユニット）や、ＭＰＥＧ２規格におけるＧＯＰ（グループオブピクチャ）などに相当する。１つのストリーム部分領域８２は、複数パックから構成される。複数のパックとしては、情報パック８３、映像パック８４、音声パック８５などが存在する。更に、副映像パック８６が存在してもよい。
【００４６】
情報パック８３は、例えば、ＤＶＤレコーディング規格におけるＲＤＩパックなどに相当する。その場合、このパックには、これが属するＶＯＢＵの最初のフィールドが再生される開始時間を示す情報、当該ＶＯＢＵの記録時を示す情報、製造者情報（ＭＮＦＩ）などを含む。又、ディスプレイ制御情報（ＤＣＩ）及びコピーコントロール情報（ＣＣＩ）を含む。ディスプレイ制御情報は、アスペクト比情報、サブタイトルモード情報、フィルムカメラモード情報を示す。コピーコントロール情報は、コピー許可情報、又は、コピー禁止（非許可）情報を含む。
【００４７】
映像パック８４はビデオ情報がＭＰＥＧ２の方式で圧縮されたもので、パックヘッダ、パケットヘッダ、ビデオ情報部で構成される。
【００４８】
音声パック８５はオーディオ情報が、例えば、リニアＰＣＭ又はＭＰＥＧ、又はＡＣ−３などの方式で処理されたものであり、パックヘッダ、パケットヘッダ、オーディオ情報部で構成される。
【００４９】
次に、管理情報９０について説明する。
【００５０】
管理情報９０の中に、実映像情報８０の再生順序を管理する情報（再生順序情報）であるオリジナルタイトル（プログラム）情報Ｔ１が定義されている。これは、例えば、ＤＶＤレコーディング規格におけるプログラム９３−１〜ｎなどに相当する。個々のオリジナルタイトル情報（又は、プログラム情報）９３−１〜ｎの中には参照情報９４−１〜ｎが定義されており、これは再生すべき対象となる実映像情報８０に関する情報である実映像情報９１とリンクしている。これらは、例えば、ＤＶＤレコーディング規格におけるセルとビデオオブジェクト情報（ＶＯＢＩ）などに相当する。
【００５１】
このようにオリジナルタイトル情報Ｔ１（プログラム９３−１〜ｎ）はそれ自身の実映像情報を持ち、通常、録画時にはこのタイトルが作成される。
【００５２】
これに対し、再生順序を管理する情報（再生順序情報）のみで構成されているものもある。これがプレイリスト情報Ｔ２であり、例えば、ＤＶＤレコーディング規格におけるプレイリストなどがこれに相当する。このプレイリスト情報Ｔ２はそれ自身の実映像情報を持たず、図２に示すように、オリジナルタイトル情報Ｔ１の実映像情報９１に対してリンクしている参照情報９５−１〜ｎを編集（削除、追加）することでプレイリストとして作成される。
【００５３】
実映像情報９１内にはタイムマップ情報９２が記述されている。このタイムマップ情報９２は、実映像情報９１に対応する実映像情報ストリーム８１を構成している部分領域８２を指定する。管理情報９０のオリジナルタイトル情報Ｔ１の参照情報９４−１〜ｎ又はプレイリスト情報Ｔ２の参照情報９５−１〜ｎから実映像情報９１へのリンクは、論理アドレスで特定されている。又、タイムマップ情報９２から実映像情報ストリーム８１及びその部分領域８２へのリンクは、実映像情報ストリーム８１の番号、そのストリーム内の部分領域８２の数、個々の部分領域８２に対するエントリー番号、個々の部分領域８２への論理アドレスに基づいて行われている。このような構成により、録画された映像情報の通常の再生のみならず、倍速／スロー再生や逆再生のような特殊再生、更にはシーンのサーチなどに対応することができる。
【００５４】
＜本発明に係る映像情報処理装置の動作＞
以下、図３以降の図を使用して本発明の動作を説明するが、以下の説明においては、本発明の映像情報処理装置は、次のような構成を取るものとしている。
【００５５】
又、本発明の特徴を第１実施形態乃至第８実施形態として、以下の説明の中でそれぞれ言及している。ここで、各実施形態について、予め簡単に説明する。
第１実施形態は、『記録中の映像音声情報を使用して編集を実施する場合』を示している。これにより、録画処理の終了を待つことなく、録画が進行中のオリジナルタイトルの、既に記録媒体上に録画済みの部分を参照するプレイリストを作成して編集することが可能となる映像情報処理装を提供することができる。
【００５６】
第２実施形態は、『編集に用いるプレイリストを録画の進捗状況に応じて更新する場合』を示している。これにより、録画が進行中のオリジナルタイトルの、既に記録媒体上に録画済みの部分を参照するプレイリストに対し、例えば、再編集などのタイミングや、専用コマンドのコールなどにより、新たに録画された続きの部分を反映させることが可能となる。
【００５７】
第３実施形態は、『独自情報を使用せずプレイリストを特定する場合』を示している。すなわち、録画が進行中のタイトルの、既に記録媒体上に録画済みの部分を参照するプレイリストの作成可能な数を１つに制限することにより、ＤＶＤ録画規格外の独自情報を使用することなく、オリジナルタイトルの録画の進捗状況を反映させるプレイリストを特定することができる。
【００５８】
第４実施形態は、『独自情報を使用してプレイリストを特定する場合』を示している。すなわち、ＤＶＤ録画規格外の独自情報を使用することにより、録画が進行中のタイトルの、既に記録媒体上に録画済みの部分を参照するプレイリストを複数個作成可能とし、かつオリジナルタイトルの録画の進捗状況を反映させるプレイリストを特定することができる。
【００５９】
第５実施形態は、『プレイリスト末尾を書き換えることで、記録の進捗分に応じてプレイリストを更新する場合』を示している。すなわち、プレイリストの末尾に対する編集処理を拒絶し、該末尾の記述を書き換えることにより、ＤＶＤ録画規格外の独自情報を使用することなく、オリジナルタイトルの録画の進捗状況をプレイリストに反映することができる。
【００６０】
第６実施形態は、『記録の進捗分を新たなセルとしてプレイリストに挿入する場合』を示している。すなわち、プレイリストへまだ反映していない部分を新たな参照情報としてプレイリストに反映させることにより、プレイリストの末尾に対する編集処理を可能にしつつも、オリジナルタイトルの録画の進捗状況をプレイリストに反映することができる。
【００６１】
第７実施形態は、『挿入位置を特定せず、新たなセルをプレイリストに挿入する場合』を示している。すなわち、プレイリストへまだ反映していない部分を新たな参照情報としてプレイリストに反映させる際に、ＤＶＤ録画規格外の独自情報を使用することなく、プレイリストの末尾や先頭などの決まった位置に新たな参照情報を挿入することができる。
【００６２】
第８実施形態は、『挿入位置を特定して、新たなセルをプレイリストに挿入する場合』を示している。すなわち、プレイリストへまだ反映していない部分を新たな参照情報としてプレイリストに反映させる際に、ＤＶＤ録画規格外の独自情報を使用することにより、プレイリスト中の任意の位置に新たな参照情報を挿入することができる。これは、特別な挿入位置情報を使用することによる、任意の位置への録画の進捗分の新規セルの挿入であり、プレイリストの末尾に何か決まったシーンを前もって入れておき、録画進捗分はその前方に反映させる形式を意味する。
【００６３】
まず、本発明の映像情報処理装置は、ＤＶＤ録画規格（ＤＶＤ−ＶＲ規格）に基づいたＤＶＤ録画機であるとする。又、ＤＶＤとＨＤＤの２つの録画メディアを有するハイブリッド録画機であるとし、ＤＶＤとＨＤＤ相互間での映像情報のダビングが可能であるとする。又、ＤＶＤへの録画は、ＤＶＤ−ＶＲ規格に基づきＤＶＤ−ＲＡＭなどへ録画する機能を有するほかに、ＤＶＤビデオ規格（ＤＶＤ−Ｖｉｄｅｏ規格）に基づいてＤＶＤ−Ｒに録画する機能をも有するものとする。
【００６４】
（第１実施形態）
ここで、第１実施形態である『記録中の映像音声情報を使用して編集を実施する場合』において、映像及び音声の実情報を有するタイトルはＤＶＤ−ＶＲ規格のプログラムであるとし、同じく、記録媒体上の実情報に対する参照情報のみからなる仮想的なタイトルはＤＶＤ−ＶＲ規格のプレイリストであるとする。なお、このプログラムは、オリジナルタイトルと呼ばれることもある。又、再生順序を管理する情報（再生順序情報）であるプログラム（オリジナルタイトル）の管理情報の部分、及びプレイリストには、実映像情報に対してリンクしている参照情報が含まれているが、この参照情報は、ＤＶＤ−ＶＲ規格のセルであるとする。又、この実映像情報は、ＤＶＤ−ＶＲ規格のビデオオブジェクト情報（ＶＯＢＩ）であるとする。
【００６５】
なお、先の図２には図示していないが、再生順序を管理する情報（再生順序情報）であるプログラム（オリジナルタイトル）の管理情報の部分、及びプレイリストには、チャプターと呼ばれる部分領域を定義することができるとする。このチャプターの境界を示す位置には、マーキング情報として、ＤＶＤ−ＶＲ規格のエントリーポイントを打つこととする。すなわち、エントリーポイントが打たれた位置をチャプター境界とし、あるエントリーポイントの位置から次のエントリーポイントまでの範囲をチャプターと呼ぶ。ただし、タイトル中の１番目のチャプターについては、タイトルの始点位置から開始することが自明であるため、チャプター１番の前方境界位置すなわちタイトルの先頭位置には、エントリーポイントが存在してもよいし、存在しなくてもよい。
【００６６】
図３は、本発明の一実施形態の概念である、管理情報と実映像情報との関係図を示す図である。この図３は、先の図２と同じように管理情報と実映像情報との関係を示しているが、実映像情報ストリームより下位のものについては記述を省略している。
【００６７】
ここでは、現在、あるオリジナルタイトル“プログラム＃Ａ”の録画が進行中であるとする。このプログラム＃Ａには、ＤＶＤ−ＶＲ規格のセルである“参照情報＃ａ”が含まれる。参照情報＃ａとリンクしている“実映像情報＃α”はＤＶＤ−ＶＲ規格のＶＯＢＩである。記録媒体への実映像情報ストリームの録画の進捗に従って、実映像情報＃αに含まれるタイムマップ情報の記述が更新され、リンクしている参照情報＃ａの終了時間情報も記述が更新される。
【００６８】
本発明の映像情報処理装置及び映像情報処理方法では、このプログラム＃Ａの録画の進行中に、該プログラム＃Ａの内容を反映させたプレイリストを作成可能とするものである。図３における“プレイリスト＃Ｂ”が、プログラム＃Ａの録画進行中に作成したプレイリストであり、プレイリスト＃Ｂに含まれるセル“参照情報＃１”が、プログラム＃ＡのＶＯＢＩである“実映像情報＃α”を参照している。
【００６９】
ここで、プレイリスト＃Ｂを作成して編集を施した後も、プログラム＃Ａの録画は進行し、又、その録画の進捗分は、例えば、プレイリスト＃Ｂを再編集するなどのタイミングで、プレイリスト＃Ｂに反映される。この仕組みについては、以下、図４以降を使用した実施形態で詳細に説明する。
【００７０】
図４から図１５までは、オリジナルタイトルの録画進行中に該オリジナルタイトルの内容を反映させたプレイリストを新規に作成する処理を示すフローチャートである。
【００７１】
すなわち、本発明記載の方法により、録画が進行中のオリジナルタイトルの内容を反映させたプレイリストを作成し、又、そのプレイリストに新たな録画の進捗分を反映し、更にそのプレイリストに編集処理を施すという様々な処理を行う場合がこれらのフローチャートに示されている。
【００７２】
図４は、オリジナルタイトルの録画進行中に該オリジナルタイトルの内容を反映させたプレイリストを新規に作成する処理のフローチャートである。この図４は第１実施形態に相当し、ここに記されている第１のタイトルがオリジナルタイトルに、仮想的な第２のタイトルがプレイリストに相当する。
【００７３】
以下、図４のフローチャートの個々のステップについて説明する。
【００７４】
ステップＳ１１では、現在録画が進行中であるオリジナルタイトルの番号を取得する。これは、該オリジナルタイトルをパーツとしてプレイリストに挿入するために使用される。
【００７５】
ステップＳ１２では、録画進行中のオリジナルタイトルの、記録媒体への録画を開始したときのＶＯＢＩのタイムマップの時間情報＃Ｔ１を取得する。これは、オリジナルタイトルのセルの始点の時間情報に相当する。
【００７６】
続くステップＳ１３では、オリジナルタイトルの、現時点で記録媒体への録画が済んでいるところを示すＶＯＢＩのタイムマップの時間情報＃Ｔ２を取得する。この時点ではオリジナルタイトルのセルの終点の時間情報がこれに相当しているが、以後のステップの処理を行う間も録画は進行しており、録画処理が終了するまで逐次オリジナルタイトルのセルの終点の時間情報は更新されていく。
【００７７】
次のステップＳ１４では、録画進行中のオリジナルタイトルの内容を反映させるためのプレイリストを作成する。ここではまだ、入れ物としてのプレイリストを確保する形となる。このステップＳ１４の内容については、第３実施形態は図６のフローチャートを用いて、第４実施形態は図７のフローチャートを用いてそれぞれ後述する。
【００７８】
このステップＳ１４でエラーが生じた場合は、続くステップＳ１５において、以後のステップＳ１６以降をすべてスキップする方向に分岐して処理を終了する。対してステップＳ１４の処理が正常に終了した場合は、ステップＳ１５において、その次のステップＳ１６へ進む方向に処理を分岐する。
【００７９】
ステップＳ１６では、先に取得した時間情報＃Ｔ１から＃Ｔ２までの範囲を参照するセルを構成し、このセルを先にステップＳ１４で作成した入れ物としてのプレイリストに登録する。これにより、録画進行中のオリジナルタイトルの、既に記録媒体への録画が済んでいる部分を反映させたプレイリストが作成される。なお、このステップＳ１６については、第８実施形態を示す場合は、図１５のフローチャートを使用して後述する。
【００８０】
このステップＳ１６までが、第１実施形態で述べた録画進行中タイトルの内容を反映させたプレイリストを作成するステップに相当する。続くステップＳ１７以降は、そのプレイリストに対して編集を施すステップに相当する。
【００８１】
仮にステップＳ１６までの処理により作成したプレイリストに対して何ら編集処理を施さない場合は、ステップＳ１７において、編集処理を行うステップＳ１８をスキップする方向に分岐してステップＳ１９に進む。プレイリストに対する編集を行う場合は、続くステップＳ１８へ進む方向に処理を分岐する。
【００８２】
ステップＳ１８では、上記の処理により作成した録画進行中のオリジナルタイトルの内容を反映させたプレイリストに対する各種の編集処理を行う。ここで行う編集処理としては、例えばチャプター境界の設定（チャプター分割）や、チャプター境界の消去（チャプター結合）、又はプレイリストへの新たなパーツの登録や、プレイリストからのパーツの削除などの処理が例として挙げられる。無論、ここに記述した編集処理のすべてを実施可能とする必要はなく、又、ここに記述したもの以外の編集処理も実施できることは言うまでも無い。なお、このステップＳ１８については、第５実施形態の場合の処理を、図１０のフローチャートを使用して後述する。
【００８３】
このプレイリストに対する編集処理を繰り返し実行する場合には、続くステップＳ１９においてステップＳ１７に戻る方向に分岐して編集処理を再び実行する。プレイリスト編集を終了する場合には、続くステップＳ２０へ進む方向に処理を分岐する。
【００８４】
ステップＳ２０は、これまで編集対象としてきた、録画進行中のオリジナルタイトルの内容を反映させたプレイリストを保存し、一連の処理を終了する。
【００８５】
（第２実施形態）
次に、図５は、第２実施形態である、図４のフローチャートにおいて作成したプレイリストを録画の進捗状態に応じて更新する処理を説明するためのフローチャートである。ここで、ここに記されている第１のタイトルがオリジナルタイトルに、仮想的な第２のタイトルがプレイリストに相当する。
【００８６】
以下、図５のフローチャートの個々のステップについて説明する。
【００８７】
ステップＳ３１において、現在録画が進行中であるオリジナルタイトルの番号を取得する。これは、該オリジナルタイトルの、録画の進捗分をパーツとしてプレイリストに挿入するために使用される。
【００８８】
ステップＳ３２では、録画が進行中のオリジナルタイトルの内容を反映させるプレイリストの番号を取得する。これは再編集の対象を確定するためである。なお、このステップＳ３２の内容については、第３実施形態を示す場合は、図８のフローチャートを、第４実施形態を示す場合は、図９のフローチャートを、それぞれ使用して後述する。
【００８９】
このステップＳ３２でエラーが生じた場合は、続くステップＳ３３において、以後のステップＳ３４以降をすべてスキップする方向に分岐して処理を終了する。対してステップＳ３２の処理が正常に終了した場合は、ステップＳ３３において、その次のステップＳ３４へ進む方向に処理を分岐する。
【００９０】
続くステップＳ３４では、録画が進行中のオリジナルタイトルの、現時点で記録媒体への録画が済んでいるところを示すＶＯＢＩのタイムマップの時間情報＃Ｔ３を取得する。この時点ではオリジナルタイトルのセルの終点の時間情報がこれに相当しているが、以後のステップの処理を行う間も録画は進行しており、録画処理が終了するまで逐次オリジナルタイトルのセルの終点の時間情報は更新されていく。
【００９１】
次のステップＳ３５では、図４に示したフローチャートに従って前回プレイリストを作成した時点で記録媒体への録画が済んでいた＃Ｔ２から、上記ステップＳ３４で取得した＃Ｔ３までの範囲、つまり新たに録画が進行した範囲を、上記ステップＳ３２で確定した再編集対象のプレイリストに反映させる。このステップＳ３５の内容については、第５実施形態である『プレイリスト末尾を書き換えることで、記録の進捗分に応じてプレイリストを更新する場合』は、図１１のフローチャートを、第６実施形態である『記録の進捗分を新たなセルとしてプレイリストに挿入する場合』は、図１２のフローチャートを用いて後述する。
又、この二つの場合に限らず、記録の進捗分をプレイリストに反映させる方法は多く考えられ、そのどれもが本発明に含まれるものである。例えば、反映させるタイミングに関して、再編集対象のプレイリストを確定してプレイリスト編集の操作画面を開いた時点で行う場合が好適である。更に、例えば、５分毎等の予め決められた時間毎に、記録の進捗分をプレイリストに反映させることが好適である。
【００９２】
このステップＳ３５までが、第２実施形態で述べた録画進行中タイトルの録画の進捗状態をプレイリストに反映させるステップに相当する。続くステップＳ３６以降は、そのプレイリストに対して再編集を施すステップに相当する。
【００９３】
仮にステップＳ３５までの処理により録画の進捗状態を反映させたプレイリストに対して何ら編集処理を施さない場合は、ステップＳ３６において、編集処理を行うステップＳ３７をスキップする方向に分岐してステップＳ３８に進む。プレイリストに対する編集を行う場合は、続くステップＳ３７へ進む方向に処理を分岐する。
【００９４】
ステップＳ３７では、上記の処理により録画の進捗状態を反映させたプレイリストに対する各種の編集処理を行う。ここで行う編集処理としては、例えばチャプター境界の設定（チャプター分割）や、チャプター境界の消去（チャプター結合）、又はプレイリストへの新たなパーツの登録や、プレイリストからのパーツの削除などの処理が例として挙げられる。無論、ここに記述した編集処理のすべてを実施可能とする必要はなく、又、ここに記述したもの以外の編集処理も実施できることは言うまでも無い。なお、このステップＳ３７については、第５実施形態である『プレイリスト末尾を書き換えることで、記録の進捗分に応じてプレイリストを更新する場合』における説明を、図１０のフローチャートを使用して後述する。
【００９５】
このプレイリストに対する編集処理を繰り返し実行する場合には、続くステップＳ３８においてステップＳ３６に戻る方向に分岐して編集処理を再び実行する。プレイリスト編集を終了する場合には、続くステップＳ３９へ進む方向に処理を分岐する。
【００９６】
ステップＳ３９は、これまで編集対象としてきた、録画の進捗状態を反映させたプレイリストを保存し、一連の処理を終了する。
【００９７】
（第３実施形態）
図６は、第３実施形態である、先に述べた図４における録画が進行中のオリジナルタイトルの内容を反映させたプレイリストを新規に作成するためのステップＳ１４に対し『独自情報を使用せずプレイリストを特定する場合』を示すフローチャートである。
【００９８】
ここではまず、ステップＳ４１で、録画が進行中のオリジナルタイトルの内容を反映させたプレイリストが既に存在しているか否かの判定を行っている。第３実施形態を適用した場合、このようなプレイリストは１つしか作成できない。従ってこの場合は、現在存在しているすべてのプレイリストの中に、現在録画が進行しているオリジナルタイトルのＶＯＢＩを参照するセルを含むものが存在するか否かで判定することが好適である。
【００９９】
このステップＳ４１で、録画が進行中のオリジナルタイトルの内容を反映させたプレイリストが既に存在していることが判明した場合は、ステップＳ４３に分岐する。ステップＳ４３において、このようなプレイリストはもう作成できないという内容のエラーコードを設定し、一連の処理を終了する。
【０１００】
対してステップＳ４１で、録画が進行中のオリジナルタイトルの内容を反映させたプレイリストがまだ存在していないことが判明した場合は、ステップＳ４２に分岐する。ステップＳ４２において、新たなプレイリストを新規に作成し、一連の処理を終了する。
【０１０１】
このように、第３実施形態を適用し、録画が進行中のオリジナルタイトルの内容を反映させたプレイリストの作成を１個に限定することにより、特別な情報を必要とすることなく、録画が進行中のオリジナルタイトルの内容を反映させたプレイリストを作成することができる。
【０１０２】
（第４実施形態）
図７は、第４実施形態である、先に述べた図４における録画が進行中のオリジナルタイトルの内容を反映させたプレイリストを新規に作成するためのステップＳ１４に対して『独自情報を使用してプレイリストを特定する場合』を示すフローチャートである。
【０１０３】
ここではまず、ステップＳ４４で、録画が進行中のオリジナルタイトルの内容を反映させるべく対応付けがなされたプレイリストが既に存在しているか否かの判定を行っている。第４実施形態を適用した場合、録画が進行中のオリジナルタイトルを参照するようなプレイリスト自体は複数作成可能であるが、録画の進捗状態を反映させられるプレイリストは１個に限定している。従ってこの場合は、録画の進捗状態を反映させられるプレイリストとして、オリジナルタイトルとの対応付けがなされているプレイリストが存在するか否かを判定することが好適である。
【０１０４】
このステップＳ４４で、オリジナルタイトルとの対応付けがなされているプレイリストが既に存在していることが判明した場合は、ステップＳ４７に分岐する。ステップＳ４７において、このようなプレイリストはもう作成できないという内容のエラーコードを設定し、一連の処理を終了する。
【０１０５】
対してステップＳ４４で、オリジナルタイトルとの対応付けがなされているプレイリストがまだ存在していないことが判明した場合は、ステップＳ４５に分岐する。ステップＳ４５において、新たなプレイリストを新規に作成する。
【０１０６】
続くステップＳ４６で、この新規に作成したプレイリストを、録画の進捗状態を反映させるプレイリストとして、現在録画が進行中のオリジナルタイトルとの対応付けを行い、その情報を保持し、一連の処理を終了する。
【０１０７】
このように、第４実施形態を適用し、オリジナルタイトルとプレイリストとの対応付けのための特別な情報を使用することにより、録画が進行中のオリジナルタイトルを参照するプレイリストを複数作成可能とし、かつ録画の進捗状態を反映させるプレイリストを確実に対応させることができる。
【０１０８】
なお、この図７は録画の進捗状態を反映させるプレイリストを作成するためのフローチャートである。録画の進捗状態を反映させず、単に録画進行中のオリジナルタイトルの記録媒体への録画済みの部分を参照するプレイリストを作成する、というケースでは、この図７におけるステップＳ４４及びステップＳ４６の処理は不要となることは言うまでも無い。
【０１０９】
図８は、第３実施形態である、先に述べた図５における録画が進行中のオリジナルタイトルの録画の進捗状態を反映させるプレイリストの番号を取得するためのステップＳ３２に対し『独自情報を使用せずプレイリストを特定する場合』を示すフローチャートである。
【０１１０】
ここではまず、ステップＳ４８で、録画が進行中のオリジナルタイトルの内容が反映されたプレイリストが複数存在しているか否かの判定を行っている。第３実施形態を適用した場合、このようなプレイリストは１つしか作成できない。従ってこの場合は、現在存在しているすべてのプレイリストの中に、現在録画が進行しているオリジナルタイトルのＶＯＢＩを参照するセルを含むものが複数存在するか否かで判定することが好適である。
【０１１１】
このステップＳ４８で、録画が進行中のオリジナルタイトルの内容が反映されたプレイリストが複数存在していることが判明した場合は、ステップＳ５１に分岐する。ステップＳ５１において、対象となるプレイリストの番号が取得できないという内容のエラーコードを設定し、一連の処理を終了する。
【０１１２】
対してステップＳ４８で、録画が進行中のオリジナルタイトルの内容が反映されたプレイリストが複数存在していないことが判明した場合は、ステップＳ４９へ分岐する。
【０１１３】
ステップＳ４９では、録画が進行中のオリジナルタイトルの内容が反映されたプレイリストが存在するか否かの判定を行う。第３実施形態を適用した場合、このようなプレイリストは１つしか作成できない。従ってこの場合は、現在存在しているすべてのプレイリストの中に、現在録画が進行しているオリジナルタイトルのＶＯＢＩを参照するセルを含むものが存在するか否かで判定することが好適である。
【０１１４】
このステップＳ４９で、録画が進行中のオリジナルタイトルの内容が反映されたプレイリストが存在しないことが判明した場合は、ステップＳ５１に分岐する。ステップＳ５１において、対象となるプレイリストの番号が取得できないという内容のエラーコードを設定し、一連の処理を終了する。
【０１１５】
対してステップＳ４９で、録画が進行中のオリジナルタイトルの内容が反映されたプレイリストが存在することが判明した場合は、ステップＳ５０へ分岐する。
【０１１６】
ステップＳ５０に達した場合には、現在録画が進行しているオリジナルタイトルのＶＯＢＩを参照するセルを含むプレイリストは１つだけ存在しているということになる。従って、ステップＳ５０において、このプレイリストの番号を、録画が進行中のオリジナルタイトルの録画の進捗状態を反映させるプレイリストの番号として取得し、一連の処理を終了する。
【０１１７】
このように、第３実施形態を適用し、録画が進行中のオリジナルタイトルの内容が反映されたプレイリストの作成を１個に限定することにより、特別な情報を必要とすることなく、録画が進行中のオリジナルタイトルの録画の進捗状態を反映させるプレイリストの番号を取得することができる。
【０１１８】
図９は、第４実施形態である、図５における録画が進行中のオリジナルタイトルの録画の進捗状態を反映させるプレイリストの番号を取得するためのステップＳ３２に対し『独自情報を使用してプレイリストを特定する場合』を示すフローチャートである。
【０１１９】
ここではまず、ステップＳ５２で、録画が進行中のオリジナルタイトルの内容が反映されたプレイリストが存在するか否かの判定を行っている。第４実施形態を適用した場合、このようなプレイリストは複数作成できるが、そもそもそのようなプレイリストが１つも存在しないのならば、以後の処理を行うまでもない。この場合は、現在存在しているすべてのプレイリストの中に、現在録画が進行しているオリジナルタイトルのＶＯＢＩを参照するセルを含むものが存在するか否かで判定することが好適である。
【０１２０】
このステップＳ５２で、録画が進行中のオリジナルタイトルの内容が反映されたプレイリストが存在しないことが判明した場合は、ステップＳ５５に分岐する。ステップＳ５５において、対象となるプレイリストの番号が取得できないという内容のエラーコードを設定し、一連の処理を終了する。
【０１２１】
対してステップＳ５２で、録画が進行中のオリジナルタイトルの内容が反映されたプレイリストが存在していることが判明した場合は、ステップＳ５３へ分岐する。
【０１２２】
ステップＳ５３では、録画が進行中のオリジナルタイトルとの対応付けがなされているプレイリストが存在するか否かの判定を行う。第４実施形態を適用した場合、録画が進行中のオリジナルタイトルを参照するようなプレイリスト自体は複数作成可能であるが、録画の進捗状態を反映させられるプレイリストは１個に限定している。従ってこの場合は、特別な情報に記述された内容を調べて、対象となるプレイリストを特定することが好適である。
【０１２３】
このステップＳ５３で、オリジナルタイトルと対応付けられたプレイリストの番号が取得できないことが判明した場合、例えばそのようなプレイリストが存在しないために対応付けの情報が記述されていないとか、記述はされているが存在しないプレイリストを指し示すような無効な記述がなされているといった場合は、ステップＳ５５に分岐する。ステップＳ５５において、対象となるプレイリストの番号が取得できないという内容のエラーコードを設定し、一連の処理を終了する。
【０１２４】
対してステップＳ５３で、オリジナルタイトルと対応付けられたプレイリストの番号が取得できることが判明した場合は、ステップＳ５４へ分岐する。
【０１２５】
ステップＳ５４に達した場合には、オリジナルタイトルと対応付けられたプレイリストが存在していることになる。従って、このプレイリストの番号を、録画が進行中のオリジナルタイトルの録画の進捗状態を反映させるプレイリストの番号として取得し、一連の処理を終了する。
【０１２６】
このように、第４実施形態を適用し、オリジナルタイトルとプレイリストとの対応付けのための特別な情報を使用することにより、録画が進行中のオリジナルタイトルを参照するプレイリストを複数作成可能とし、かつ録画の進捗状態を反映させるプレイリストの番号を取得することができる。
【０１２７】
（第５実施形態）
図１０は、第５実施形態である、録画が進行中のオリジナルタイトルの内容が反映されたプレイリストに対して編集処理を施すステップである図４のステップＳ１８及び図５のステップＳ３７に対し『プレイリスト末尾を書き換えることで、記録の進捗分に応じてプレイリストを更新する場合』を示すフローチャートである。
【０１２８】
ここではまず、ステップＳ６１で、プレイリストに対して施そうとする編集処理の内容を判定する。
【０１２９】
このステップＳ６１で、プレイリストに施そうとする編集処理が、プレイリストのタイトルの末尾のチャプターの削除、又は、プレイリストの末尾へのパーツ登録のどちらかである場合には、ステップＳ６３に分岐する。ステップＳ６３では、これら２つの編集処理を拒絶して、一連の処理を終了する。
【０１３０】
対してステップＳ６１で、プレイリストに施そうとする編集処理が、２つの編集処理以外のものである場合には、ステップＳ６２に分岐する。ステップＳ６２では、プレイリストに対する編集処理を実行し、一連の処理を終了する。
【０１３１】
このように、第５実施形態を適用することで、プレイリスト編集開始時点のプレイリストの末尾のセルと、そのセルの終了時間情報を保持し続けることができる。具体的には、例えば図４のフローチャートで、記録媒体への録画が済んでいるところのＶＯＢＩのタイムマップの時間情報である＃Ｔ２を保持し続けることができる。これにより、該プレイリストの末尾の終了時間情報を書き換える形で録画の進捗状態を反映させることができる。上記の例では、＃Ｔ２の値を書き換える形となる。
【０１３２】
図１１は、第５実施形態である、録画が進行中のオリジナルタイトルの内容が反映されたプレイリストに対して新たに録画の進捗状態を反映させるステップである図５のステップＳ３５に対し『プレイリスト末尾を書き換えることで、記録の進捗分に応じてプレイリストを更新する場合』を示すフローチャートである。
【０１３３】
ここではまず、ステップＳ６４で、対象プレイリストの末尾のセルを処理の対象として特定する。このプレイリスト末尾のセルは、先に図１０を使用して説明したフローチャートにより、前回このプレイリストの編集を行った際のタイトル末尾のセル及びそのセルの終了時間情報を保持し続けている。具体的には、例えば図４のフローチャートで、記録媒体への録画が済んでいるところのＶＯＢＩのタイムマップの時間情報である＃Ｔ２を保持し続けている。
【０１３４】
次にステップＳ６５で、この対象セルの終了時間の情報を書き換える。具体的には、例えば図５のフローチャートで、＃Ｔ２の値を、新たに録画が進行したところのＶＯＢＩのタイムマップの時間情報である＃Ｔ３に書き換える。書き換え終了後、一連の処理を終了する。
【０１３５】
このように、第５実施形態を適用することで、編集処理を拒絶して保持し続けたプレイリストの末尾のセルの終了時刻を書き換える形で録画の進捗状態を反映させることができる。
【０１３６】
（第６実施形態）
図１２は、第６実施形態である、録画が進行中のオリジナルタイトルの内容が反映されたプレイリストに対して新たに録画の進捗状態を反映させるステップである図５のステップＳ３５に対し『記録の進捗分を新たなセルとしてプレイリストに挿入する場合』を示すフローチャートである。
【０１３７】
ここではまず、ステップＳ６６で、録画の進捗部分を範囲とするセルを新たに構成する。具体的には、例えば図４のフローチャートで、記録媒体への録画が済んでいるところのＶＯＢＩのタイムマップの時間情報である＃Ｔ２を始点とし、図５のフローチャートでその後録画が進行したところのＶＯＢＩのタイムマップの時間情報である＃Ｔ３を終点とするようなセルを新規に構成する。
【０１３８】
次にステップＳ６７で、この新たに構成したセルをプレイリストに挿入する。なお、このステップＳ６７の内容については、第７実施形態を適用した場合の処理は図１３のフローチャートを、第８実施形態を適用した場合の処理は図１４のフローチャートを、それぞれ使用して後述する。
【０１３９】
このように、第６実施形態を適用することで、編集処理によりプレイリストの末尾のセル又はそのセルの終了時間情報が保持されない場合であっても、新たなセルを構成してプレイリストに挿入する形で録画の進捗状態を反映させることができる。
【０１４０】
（第７実施形態）
図１３は、第７実施形態である、録画の進捗分を新たなセルとしてプレイリストに反映させるステップである図１２のステップＳ６７に対し『挿入位置を特定せず、新たなセルをプレイリストに挿入する場合』を示すフローチャートである。
【０１４１】
ここでは、ステップＳ６８で、録画の進捗分を範囲とする新たなセルを、プレイリスト上の固定的な位置に挿入する。この挿入位置は、本発明の映像情報処理装置の製品仕様として決めるもので、例えば、常にプレイリストの末尾に挿入する、又は常にプレイリストの先頭に挿入する、などが例として挙げられる。
【０１４２】
このように、第７実施形態を適用することで、編集処理によりプレイリストの末尾のセル又はそのセルの終了時間情報が保持されない場合であっても、新たなセルを構成して、かつ特別な情報を使用することなくプレイリストの常に決まった位置に挿入する形で録画の進捗状態を反映させることができる。
【０１４３】
（第８実施形態）
図１４は、第８実施形態である、録画の進捗分を新たなセルとしてプレイリストに反映させるステップである図１２のステップＳ６７に対し『挿入位置を特定して、新たなセルをプレイリストに挿入する場合』を示すフローチャートである。
【０１４４】
ここではまず、ステップＳ６９で、新たなセルを挿入するためのプレイリスト上の位置情報を取得する。なお、本処理に先立つ、この位置情報を設定する処理については、別途、図１５を使用して後述する。
【０１４５】
次にステップＳ７０で、録画の進捗分を範囲とする新たなセルを、位置情報を取得したプレイリスト上の挿入位置に挿入する。
【０１４６】
このように、第８実施形態を適用することで、編集処理によりプレイリストの末尾のセル又はそのセルの終了時間情報が保持されない場合であっても、新たなセルを構成して、かつ特別な情報を使用することによりプレイリストへの挿入位置にある程度の自由度を持たせる形で録画の進捗状態を反映させることができる。
【０１４７】
図１５は、上記図１４で説明したフローチャートに従い、録画の進捗分を新たなセルとしてプレイリストに挿入する処理に先立ち行われる、図１４のステップＳ６９で取得する挿入位置の位置情報を設定する処理について説明するフローチャートである。この図１５のフローチャートは、第６実施形態及び第８実施形態に記載した内容を適用する場合に、図４のステップＳ１６と図５のステップＳ３５の処理内容に、プレイリストへの挿入位置の情報を設定し保持する処理を追加したものである。
【０１４８】
まずステップＳ７１では、記録媒体に既に録画済みである部分をプレイリストに反映させている。これは、先に述べた図４のステップＳ１６で＃Ｔ１から＃Ｔ２までの範囲をプレイリストに反映させる場合、又は、図５のステップＳ３５で録画の進捗分である＃Ｔ２から＃Ｔ３までの範囲をプレイリストに反映させる場合に相当する。
【０１４９】
次にステップＳ７２で、録画済みの部分を反映させた部分の直後の位置を、挿入位置情報として保持する。なお、ここでは、既に録画が済んでいる部分の時間的に後の位置に新たな録画の進捗分を反映させるという考えに基づき、挿入位置情報を録画済みの部分の直後の位置としているが、挿入位置はこの位置に拘束されるものではないということは、言うまでもない。
【０１５０】
このように、特別な情報を使用することによりプレイリストへの挿入位置にある程度の自由度を持たせる形で録画の進捗状態を反映させることができる。
【０１５１】
図１６から図３２までは、本発明に係る映像情報処理装置により、録画が進行中のオリジナルタイトルの内容を反映させたプレイリストを作成し、又、そのプレイリストに新たな録画の進捗分を反映し、更にそのプレイリストに編集処理を施すという様々な処理を行ったときの、管理情報の変遷を説明する説明図である。ここでは、例として、図１６から図２２までが第１実施形態乃至第３実施形態、及び第５実施形態を適用した映像情報処理装置のケースを示している。
【０１５２】
更に、図２３から図３２までが、第１実施形態、第２実施形態、第４実施形態、第６実施形態、第８実施形態を適用した映像情報処理装置のケースを示している。なお、第３実施形態以降の組み合わせはここに示したものだけに限定されるものではないということは、言うまでもない。
【０１５３】
＜本発明に係る映像情報処理装置の管理情報の変遷＞
図１６から図２２までが、第１実施形態乃至第３実施形態、及び第５実施形態を適用した映像情報処理装置のケースであり、録画が進行中のオリジナルタイトルの内容を反映させたプレイリストの作成、そのプレイリストに対する新たな録画の進捗分の反映、更にそのプレイリストに対する編集処理の実施を行った場合の管理情報の変遷を説明している。この一連の例では、特別な情報を一切使用することなく本発明の主旨を達成することが可能となる。
【０１５４】
まず、図１６の説明図において、あるオリジナルタイトル“プログラム＃Ａ１”の録画が進行中の状態を示している。プログラム＃Ａ１に含まれる“参照情報＃ａ１”はセルに相当し、この中には録画中に実施した編集処理によりチャプター分割が行われており、図に示すように３つのチャプターが存在している。又、この参照情報＃ａ１は、ＶＯＢＩである“実映像情報＃α１”とリンクしている。ＶＯＢＩのタイムマップの時間情報の初期値は＃Ｔ１であり、この図１６の時点では、ＶＯＢＩのタイムマップの時間情報が＃Ｔ２の位置まで録画が進行しているものとする。
【０１５５】
次に図１７は、このＶＯＢＩのタイムマップの時間情報が＃Ｔ２のところまで録画が進行した時点で、プログラム＃Ａ１の、記録媒体への録画が済んでいる部分を反映させたプレイリストを作成した状態を示している。ここでは、新規に作成した“プレイリスト＃Ｂ１”が録画進行中のプログラム＃Ａ１の内容を反映したプレイリストであり、このプレイリスト＃Ｂ１に含まれるセル“参照情報＃ｂ１”が、プログラム＃Ａ１のＶＯＢＩの、＃Ｔ１から＃Ｔ２までの範囲を参照する形になっている。又、参照情報＃ｂ１には、プログラム＃Ａ１に含まれる３つのチャプターも継承されている。なお、この間もプログラム＃Ａ１の録画は進行しており、非常に短いながらもプレイリスト作成にある程度の時間を要するため、実際にはプログラム＃Ａ１の録画は、この時点では＃Ｔ２の位置から更に進行しているが、ここでは割愛している。
【０１５６】
なお、ここでは第３実施形態を適用し、録画が進行中のプログラム＃Ａ１の内容を反映するプレイリストを、このプレイリスト＃Ｂ１にのみ限定している。従って、録画処理が終了するまでは他にプログラム＃Ａ１の内容を反映するプレイリストは作成できない。
【０１５７】
図１８は、このプレイリスト＃Ｂ１に編集処理を施した状態を示している。ここでは、プレイリスト＃Ｂ１のチャプター３番を更にチャプター分割した例を示しており、プレイリスト＃Ｂ１に４つのチャプターが含まれる形になっている。この時点で、プログラム＃Ａ１の録画は＃Ｔ２の位置から更に進行している。
【０１５８】
図１９は、プレイリスト＃Ｂ１に更に編集処理を施した状態を示している。ここでは、プレイリスト＃Ｂ１のチャプター２番を削除した例を示しており、元のチャプター３番及び４番の番号が、それぞれ２番及び３番に繰り上がっている。又、セルの中間を削除する処理のため、プレイリスト＃Ｂ１に含まれるセルが２つに分割している。前半部のセルが新たに“参照情報＃ｂ１”となり、後半部のセルが“参照情報＃ｂ２”となる。又、削除された元チャプター２番が参照していたＶＯＢＩ上の領域が、このチャプター削除によりプレイリスト＃Ｂ１からは参照されなくなっている。この時点で、プログラム＃Ａ１の録画は更にまた進行している。
【０１５９】
なお、ここでは第５実施形態を適用し、プレイリスト＃Ｂ１の末尾のチャプター３番の削除と、チャプター３番の後へのパーツの登録を拒絶している。
【０１６０】
図２０は、プレイリスト＃Ｂ１に対する編集処理をクローズし、しばらく経った状態を示している。この時点では、プログラム＃Ａ１の録画が更に＃Ｔ３の位置まで進行している。
【０１６１】
図２１は、このＶＯＢＩのタイムマップの時間情報が＃Ｔ３のところまで録画が進行した時点で、プログラム＃Ａ１の新たな録画の進捗分を、プレイリスト＃Ｂ１に反映させた状態を示している。ここでは、第５実施形態を適用し、プレイリスト＃Ｂ１の末尾のセルである参照情報＃ｂ２の終了時刻を＃Ｔ２から＃Ｔ３に書き換える形で、新たな録画の進捗分である＃Ｔ２から＃Ｔ３までの範囲をプレイリスト＃Ｂ１に反映させている。なお、この間もプログラム＃Ａ１の録画は進行しており、非常に短いながらも参照情報＃ｂ２の末尾の時間情報の書き換えにある程度の時間を要するため、実際にはプログラム＃Ａ１の録画は、この時点では＃Ｔ３の位置から更に進行しているが、ここでは割愛している。
【０１６２】
図２２は、このプレイリスト＃Ｂ１に再編集を施した状態を示している。ここでは、プレイリスト＃Ｂ１の、チャプター２番と３番の間に、他のオリジナルタイトルを参照しているようなパーツを登録した例を示している。この時点で、プログラム＃Ａ１の録画は、＃Ｔ３の位置から更に進行している。
【０１６３】
以後、同様にして、プレイリスト＃Ｂ１に対する録画の進捗状態の反映や、編集の実施を行うことができる。
【０１６４】
図２３から図３２までは、第１実施形態、第２実施形態、第４実施形態、第６実施形態、第８実施形態を適用した映像情報処理装置のケースを示しており、録画が進行中のオリジナルタイトルの内容を反映させたプレイリストの作成、そのプレイリストに対する新たな録画の進捗分の反映、更にそのプレイリストに対する編集処理の実施を行った場合の管理情報の変遷を説明している。
【０１６５】
この一連の例では、特別な情報を併用することにより、編集操作やプレイリスト作成における制限をなくして自由度を上げつつ本発明の主旨を達成することが可能となる。
【０１６６】
まず図２３は、あるオリジナルタイトル“プログラム＃Ａ２”の録画が進行中の状態を示している。プログラム＃Ａ２に含まれる“参照情報＃ａ２”はセルに相当し、この中には録画中に実施した編集処理によりチャプター分割が行われており、図に示すように２つのチャプターが存在している。又、この参照情報＃ａ２は、ＶＯＢＩである“実映像情報＃α２”とリンクしている。ＶＯＢＩのタイムマップの時間情報の初期値は＃Ｔ１であり、この図２３の時点では、ＶＯＢＩのタイムマップの時間情報が＃Ｔ２の位置まで録画が進行しているものとする。
【０１６７】
次に図２４は、このＶＯＢＩのタイムマップの時間情報が＃Ｔ２のところまで録画が進行した時点で、プログラム＃Ａ２の、記録媒体への録画が済んでいる部分を反映させたプレイリストを作成した状態を示している。ここでは、新規に作成した“プレイリスト＃Ｃ１”が録画進行中のプログラム＃Ａ２の内容を反映したプレイリストであり、このプレイリスト＃Ｃ１に含まれるセル“参照情報＃ｃ１”が、プログラム＃Ａ２のＶＯＢＩの、＃Ｔ１から＃Ｔ２までの範囲を参照する形になっている。又、参照情報＃ｃ１には、プログラム＃Ａ２に含まれる２つのチャプターも継承されている。なお、この間もプログラム＃Ａ２の録画は進行しており、非常に短いながらもプレイリスト作成にある程度の時間を要するため、実際にはプログラム＃Ａ２の録画は、この時点では＃Ｔ２の位置から更に進行しているが、ここでは割愛している。
【０１６８】
続く図２５は、第４実施形態及び第８実施形態を適用したことに基づく、種々の処理を実施した状態を示している。ここでは、第４実施形態により、録画進行中のプログラム＃Ａ２と、この内容を反映させたプレイリスト＃Ｃ１とを対応付ける情報を記述し、保持している。又、第８実施形態を適用したことにより、ここではプレイリスト＃Ｃ１の参照情報＃ｃ１の直後を、録画進捗分を反映させる際のセルの挿入位置として保持する。なお、この間もプログラム＃Ａ２の録画は進行しているが、非常に短い時間のため、ここではその進捗状態を図示することを割愛している。
【０１６９】
図２６は、このプレイリスト＃Ｃ１に編集処理を施した状態を示している。ここでは、プレイリスト＃Ｃ１のチャプター２番を更にチャプター分割した例を示しており、プレイリスト＃Ｃ１に３つのチャプターが含まれる形になっている。この時点で、プログラム＃Ａ２の録画は＃Ｔ２の位置から更に進行している。
【０１７０】
図２７は、プレイリスト＃Ｃ１に更に編集処理を施した状態を示している。ここでは、プレイリスト＃Ｃ１のチャプター３番を削除した例を示している。ここで、先に図１６から図２２までを使用して説明した第３実施形態及び第５実施形態を適用したケースとは異なり、＃Ｔ２の位置を参照しているプレイリスト＃Ｃ１の末尾の情報が失われる。しかしながらこの例では、第８実施形態の内容により録画の進捗分を反映したセルを挿入する位置の情報を有しており、チャプター３番の削除分だけ前方にシフトした、チャプター２番の直後の位置を挿入位置情報として保持する。この時点で、プログラム＃Ａ２の録画は更にまた進行している。
【０１７１】
図２８は、プレイリスト＃Ｃ１に対する編集処理をクローズし、しばらく経った状態を示している。この時点では、プログラム＃Ａ２の録画が更に進行している。
【０１７２】
次の図２９は、録画進行中のプログラム＃Ａ２の内容を参照している新たな“プレイリストＤ１”を作成した状態を示している。ここでは、先に図１６から図２２までを使用して説明した第３実施形態及び第５実施形態を適用したケースとは異なり、録画進行中のオリジナルタイトルを参照するプレイリストを複数作成することが可能である。しかしながら、第４実施形態の内容を適用することで、録画の進捗状態を反映するプレイリストを“プレイリスト＃Ｃ１”と特定することができている。この時点では、プログラム＃Ａ２の録画が又、更に進行している。
【０１７３】
図３０は、録画進行中のプログラム＃Ａ２の内容を参照している新たなプレイリストＤ１の編集をクローズし、しばらく経った状態を示している。この時点では、プログラム＃Ａ２の録画が＃Ｔ３の位置まで進行している。
【０１７４】
図３１は、このＶＯＢＩのタイムマップの時間情報が＃Ｔ３のところまで録画が進行した時点で、プログラム＃Ａ２の新たな録画の進捗分を、プレイリスト＃Ｃ１に反映させた状態を示している。ここでは、第６実施形態を適用し、＃Ｔ２から＃Ｔ３までの範囲を参照する新たなセル“参照情報＃ｃ２”を構成し、このセルをプレイリスト＃Ｃ１に挿入する形で新たな録画の進捗分である＃Ｔ２から＃Ｔ３までの範囲をプレイリスト＃Ｃ１に反映させている。その際、第８実施形態により前もって保持されている挿入位置に参照情報＃ｃ２を挿入している。ここで挿入された参照情報＃ｃ２の範囲は、プレイリスト＃Ｃ１上ではチャプター３番となっている。又、この参照情報＃ｃ２の挿入を受けて、次回再度録画の進捗状態を反映させる際のセルの挿入位置を、参照情報＃ｃ２の直後に改めて設定している。なお、この録画の進捗状態を反映させるプレイリストは、第４実施形態を適用することにより前もって保持していた対応付けの情報に基づき“プレイリスト＃Ｃ１”であると特定されている。これらの処理を行っている間もプログラム＃Ａ２の録画は進行しており、実際にはプログラム＃Ａ２の録画は、この時点では＃Ｔ３の位置から更に進行しているが、ここでは割愛している。
【０１７５】
図３２は、このプレイリスト＃Ｃ１に再編集を施した状態を示している。ここでは、プレイリスト＃Ｃ１のチャプター３番を更にチャプター分割した例を示しており、プレイリスト＃Ｃ１に４つのチャプターが含まれる形になっている。この時点で、プログラム＃Ａ２の録画は、＃Ｔ３の位置から更に進行している。
【０１７６】
以後、同様にして、プレイリスト＃Ｃ１に対する録画の進捗状態の反映や、編集の実施を行うことができる。
【０１７７】
以上、図面を用いて本発明の実施形態を説明してきたが、本発明はここに記載したものに限定されるものではなく、その主旨を逸脱しない範囲内でさまざまな形態を取り得ることは言うまでもない。
【０１７８】
例えば、図２３から図３２までを使用して説明した実施形態は、第１実施形態及び第２実施形態に、第４実施形態、第６実施形態、第８実施形態の特徴を適用した映像情報処理装置を示している。しかし、これは、第１実施形態及び第２実施形態に、第４実施形態、第６実施形態、第７実施形態の特徴を適用して、録画進捗分を参照するセルを装置のセット仕様として設定した固定的な位置（例えば常にプレイリストの末尾など）に挿入することも好適である。
【０１７９】
又、第１実施形態及び第２実施形態に更に適用する内容は、第４実施形態及び第５実施形態の特徴という組み合わせであってもよい。
【０１８０】
又、第１実施形態及び第２実施形態に更に適用する内容は、第３実施形態及び第６実施形態、第７実施形態、又は、第８実施形態の特徴という組み合わせであってもよい。この場合、録画進行中のオリジナルタイトルの内容を反映させるプレイリストに対する編集処理によっては、該録画進行中のオリジナルタイトルのＶＯＢＩを参照しているセルがプレイリスト上に存在しなくなる可能性もある。この場合、このようなセルがプレイリスト上に存在している限りという条件の下で本発明を適用する形でもよい。その際、必要により、この編集処理により録画の進捗状態をプレイリストに反映できなくなる恐れがあるというアラートを表示してユーザに警告する仕組みを設けてもよい。又は、このようなセルがプレイリスト上に必ず存在するような編集上の制限をかける機能（録画進行中のオリジナルタイトルを参照している最後のセルを含むチャプターは削除を拒絶する、等）を新たに盛り込んで、録画進行中のオリジナルタイトルと、その録画の進捗状態を反映させるプレイリストとの対応関係を必ずキープするような仕組みにしてもよい。
【０１８１】
又、録画の進捗状態を反映させるプレイリストに対し、そのプレイリストそのものを削除するという編集処理も選択肢に挙げられる。その場合は、例えば図１０のステップＳ６１においてそのような処理を拒絶する形を取ってもよい。又は、録画の進捗状態を反映させるプレイリストを改めて新規に作成するという形であってもよい。その場合、録画進行中のオリジナルタイトルの、記録媒体に既に録画が済んでいる部分を最初からすべて反映させたプレイリストを作成する形であってもよいし、又は、先に削除したプレイリストに反映済みの部分をこの新たなプレイリストには反映させず、録画の途中から新たなプレイリストに反映させるという形を取ってもよい。
【０１８２】
又、上記の実施形態では、録画進行中のオリジナルタイトルの内容を反映したプレイリストに対し、録画の進捗状態を反映させるタイミングを、該プレイリストの再編集のタイミングで行っている。しかしながら、この録画の進捗状態の反映は必ずしも該プレイリストの再編集と一体のものである必要はない。例えば図５のフローチャートにおいて、ステップＳ３６からステップＳ３８までを省略した録画の進捗状態の反映だけを行うことを更に本発明の映像情報処理装置が有していてもよい。同様に、録画進行中のオリジナルタイトルの内容を反映したプレイリストを新規に作成する場合も、必ずしも該プレイリストに対する編集処理と一体である必要はなく、例えば図４のステップＳ１７からステップＳ１９までを省略した、該プレイリストの新規作成のみを行うことを、更に、本発明に係る映像情報処理装置が含むものであってもよい。
【０１８３】
【発明の効果】
以上詳述したように本発明によれば、録画処理の終了を待つことなく、録画が進行中のオリジナルタイトルの、既に記録媒体上に録画済みの部分を参照するプレイリストを作成して編集することが可能となる映像情報処理装置及び方法を提供することができる。
【図面の簡単な説明】
【図１】本発明の一実施形態に係る映像情報処理装置の概略構成を示すブロック図。
【図２】本発明の一実施形態に係る映像情報処理装置により録画されたコンテンツの管理情報と実映像情報との関係を示す図。
【図３】本発明の一実施形態の概念である、管理情報と実映像情報との関係図を示す図。
【図４】オリジナルタイトルの録画進行中に該オリジナルタイトルの内容を反映させたプレイリストを新規に作成する処理を示すフローチャート。
【図５】図４のフローチャートにおいて作成したプレイリストを、録画の進捗状態に応じて更新する処理を示すフローチャート。
【図６】図４のフローチャートで示したプレイリストの新規作成を制限する場合を示すフローチャート。
【図７】図４のフローチャートで示した新規作成されたプレイリストにオリジナルタイトルとの対応づけをする場合を示すフローチャート。
【図８】図５のフローチャートで示されるプレイリストの更新時に、プレイリストの数の制限を行なう場合を示すフローチャート。
【図９】図５のフローチャートで示される更新されるプレイリストについて、オリジナルタイトルとの対応づけをする場合を示すフローチャート。
【図１０】図４及び図５のフローチャートで示されるプレイリストの末尾の処理を制限する場合を示すフローチャート。
【図１１】図５のフローチャートで示されるプレイリストの更新をプレイリストの末尾に対して行なう場合を示すフローチャート。
【図１２】図５のフローチャートで示されるプレイリストの更新を、段階的に行なう場合を示すフローチャート。
【図１３】図５のフローチャートで示されるプレイリストの更新を、段階的にプレイリストの所定位置に対して行なう場合を示すフローチャート。
【図１４】図５のフローチャートで示されるプレイリストの更新を、プレイリストの格納された所定位置に対して行なう場合を示すフローチャート。
【図１５】図４及び図５のフローチャートで示されるプレイリストの更新において、参照情報の挿入位置情報を格納する場合を示すフローチャート。
【図１６】本発明の一実施の形態に係る映像情報処理装置における管理情報の変遷を説明する説明図。
【図１７】本発明の一実施の形態に係る映像情報処理装置における管理情報の変遷を説明する説明図。
【図１８】本発明の一実施の形態に係る映像情報処理装置における管理情報の変遷を説明する説明図。
【図１９】本発明の一実施の形態に係る映像情報処理装置における管理情報の変遷を説明する説明図。
【図２０】本発明の一実施の形態に係る映像情報処理装置における管理情報の変遷を説明する説明図。
【図２１】本発明の一実施の形態に係る映像情報処理装置における管理情報の変遷を説明する説明図。
【図２２】本発明の一実施の形態に係る映像情報処理装置における管理情報の変遷を説明する説明図。
【図２３】本発明の一実施の形態に係る映像情報処理装置であって参照情報を新規に構成する場合の管理情報の変遷を説明する説明図。
【図２４】本発明の一実施の形態に係る映像情報処理装置であって参照情報を新規に構成する場合の管理情報の変遷を説明する説明図。
【図２５】本発明の一実施の形態に係る映像情報処理装置であって参照情報を新規に構成する場合の管理情報の変遷を説明する説明図。
【図２６】本発明の一実施の形態に係る映像情報処理装置であって参照情報を新規に構成する場合の管理情報の変遷を説明する説明図。
【図２７】本発明の一実施の形態に係る映像情報処理装置であって参照情報を新規に構成する場合の管理情報の変遷を説明する説明図。
【図２８】本発明の一実施の形態に係る映像情報処理装置であって参照情報を新規に構成する場合の管理情報の変遷を説明する説明図。
【図２９】本発明の一実施の形態に係る映像情報処理装置であって参照情報を新規に構成する場合の管理情報の変遷を説明する説明図。
【図３０】本発明の一実施の形態に係る映像情報処理装置であって参照情報を新規に構成する場合の管理情報の変遷を説明する説明図。
【図３１】本発明の一実施の形態に係る映像情報処理装置であって参照情報を新規に構成する場合の管理情報の変遷を説明する説明図。
【図３２】本発明の一実施の形態に係る映像情報処理装置であって参照情報を新規に構成する場合の管理情報の変遷を説明する説明図。
【符号の説明】３０…マイクロコンピュータブロック、３１…ワークＲＡＭ、３３…ディレクトリ検知部、３３…録画時の編集処理部を含む編集時の管理情報制御部、３４…録画時の管理情報制御部、５０…エンコーダ部、６０…デコーダ部。
【図１】
2004328518.tif 000003
【図２】
2004328518.tif 000004
【図３】
2004328518.tif 000005
【図４】
2004328518.tif 000006
【図５】
2004328518.tif 000007
【図６】
2004328518.tif 000008
【図７】
2004328518.tif 000009
【図８】
2004328518.tif 000010
【図９】
2004328518.tif 000011
【図１０】
2004328518.tif 000012
【図１１】
2004328518.tif 000013
【図１２】
2004328518.tif 000014
【図１３】
2004328518.tif 000015
【図１４】
2004328518.tif 000016
【図１５】
2004328518.tif 000017
【図１６】
2004328518.tif 000018
【図１７】
2004328518.tif 000019
【図１８】
2004328518.tif 000020
【図１９】
2004328518.tif 000021
【図２０】
2004328518.tif 000022
【図２１】
2004328518.tif 000023
【図２２】
2004328518.tif 000024
【図２３】
2004328518.tif 000025
【図２４】
2004328518.tif 000026
【図２５】
2004328518.tif 000027
【図２６】
2004328518.tif 000028
【図２７】
2004328518.tif 000029
【図２８】
2004328518.tif 000030
【図２９】
2004328518.tif 000031
【図３０】
2004328518.tif 000032
【図３１】
2004328518.tif 000033
【図３２】
2004328518.tif 000034